(57)【特許請求の範囲】
【請求項１】
サービングセル変更を実行するための方法であって、
ターゲットセルへのサービングセル変更のインジケータを受信するステップと、
現在のセルの送信電力制御（ＴＰＣ：Ｔｒａｎｓｍｉｔ  Ｐｏｗｅｒ  Ｃｏｎｔｒｏｌ）組み合わせインデックスの値と前記ターゲットセルのＴＰＣ組み合わせインデックスの値を判断するステップと、
前記現在のセルの前記ＴＰＣ組み合わせインデックスの値と前記ターゲットセルの前記ＴＰＣ組み合わせインデックスの値が異なる場合に、媒体アクセス制御（ＭＡＣ：Ｍｅｄｉｕｍ  Ａｃｃｅｓｓ  Ｃｏｎｔｒｏｌ）エンティティをリセットするステップと
を備えることを特徴とする方法。
【請求項２】
前記インジケータはターゲットセル高速ダウンリンク共有チャネル（ＨＳ−ＤＳＣＨ：Ｈｉｇｈ  Ｓｐｅｅｄ  Ｄｏｗｎｌｉｎｋ  Ｓｈａｒｅｄ  Ｃｈａｎｎｅｌ）命令を含むことを特徴とする請求項１に記載の方法。
【請求項３】
前記ＭＡＣエンティティはＭＡＣ高速（ＭＡＣ−ｈｓ）エンティティを含むことを特徴とする請求項１に記載の方法。
【請求項４】
前記ＭＡＣエンティティはＭＡＣ拡張高速（ＭＡＣ−ｅｈｓ）エンティティを含むことを特徴とする請求項１に記載の方法。
【請求項５】
前記ターゲットセルに関連付けられたＨＳ−ＤＳＣＨ事前設定情報を受信するステップと、
前記ＨＳ−ＤＳＣＨ事前設定情報を格納するステップと、
前記ＨＳ−ＤＳＣＨ事前設定情報に基づいて前記ＭＡＣエンティティをリセットするステップと
をさらに備えることを特徴とする請求項１に記載の方法。
【請求項６】
サービングセル変更を実行するための無線送信／受信ユニット（ＷＴＲＵ：Ｗｉｒｅｌｅｓｓ  Ｔｒａｎｓｍｉｔ／Ｒｅｃｅｉｖｅ  Ｕｎｉｔ）であって、
ターゲットセルへのサービングセル変更のインジケータを受信するように構成されるトランシーバと、
現在のセルの送信電力制御（ＴＰＣ：Ｔｒａｎｓｍｉｔ  Ｐｏｗｅｒ  Ｃｏｎｔｒｏｌ）組み合わせインデックスの値と前記ターゲットセルのＴＰＣ組み合わせインデックスの値を判断し、
前記現在のセルの前記ＴＰＣ組み合わせインデックスの値と前記ターゲットセルの前記ＴＰＣ組み合わせインデックスの値が異なる場合に、媒体アクセス制御（ＭＡＣ：Ｍｅｄｉｕｍ  Ａｃｃｅｓｓ  Ｃｏｎｔｒｏｌ）エンティティをリセットする
ように構成されるプロセッサと
を備えることを特徴とするＷＴＲＵ。
【請求項７】
前記インジケータはターゲットセル高速ダウンリンク共有チャネル（ＨＳ−ＤＳＣＨ：Ｈｉｇｈ  Ｓｐｅｅｄ  Ｄｏｗｎｌｉｎｋ  Ｓｈａｒｅｄ  Ｃｈａｎｎｅｌ）命令を含むことを特徴とする請求項６に記載のＷＴＲＵ。
【請求項８】
前記ＭＡＣエンティティはＭＡＣ高速（ＭＡＣ−ｈｓ）エンティティを含むことを特徴とする請求項６に記載のＷＴＲＵ。
【請求項９】
前記ＭＡＣエンティティはＭＡＣ拡張高速（ＭＡＣ−ｅｈｓ）エンティティを含むことを特徴とする請求項６に記載のＷＴＲＵ。
【請求項１０】
前記トランシーバは、前記ターゲットセルに関連付けられたＨＳ−ＤＳＣＨ事前設定情報を受信するようにさらに構成され、
前記ＷＴＲＵは、前記ＨＳ−ＤＳＣＨ事前設定情報を格納するように構成されるメモリをさらに備え、
前記プロセッサは、前記ＨＳ−ＤＳＣＨ事前設定情報に基づいて前記ＭＡＣエンティティをリセットするようにさらに構成されることを特徴とする請求項６に記載のＷＴＲＵ。
【請求項１１】
サービングセル変更を実行するための無線送信／受信ユニット（ＷＴＲＵ：Ｗｉｒｅｌｅｓｓ  Ｔｒａｎｓｍｉｔ／Ｒｅｃｅｉｖｅ  Ｕｎｉｔ）であって、
ターゲットセル高速ダウンリンク共有チャネル（ＨＳ−ＤＳＣＨ：Ｈｉｇｈ  Ｓｐｅｅｄ  Ｄｏｗｎｌｉｎｋ  Ｓｈａｒｅｄ  Ｃｈａｎｎｅｌ）命令を受信するように構成されるトランシーバと、
ターゲットセル事前設定情報における媒体アクセス制御（ＭＡＣ）リセットインジケータの値を判断し、
前記ＭＡＣリセットインジケータの値がＴＲＵＥにセットされた場合に、ＭＡＣエンティティをリセットし、
前記ＭＡＣリセットインジケータの値がＦＡＬＳＥにセットされたという判断の場合に、現在のセルの送信電力制御（ＴＰＣ：Ｔｒａｎｓｍｉｔ  Ｐｏｗｅｒ  Ｃｏｎｔｒｏｌ）組み合わせインデックスの値と前記ターゲットセルのＴＰＣ組み合わせインデックスの値を判断し、
前記現在のセルの前記ＴＰＣ組み合わせインデックスの値と前記ターゲットセルの前記ＴＰＣ組み合わせインデックスの値が異なる場合に、前記ＭＡＣエンティティをリセットする
ように構成されるプロセッサと
を備えることを特徴とするＷＴＲＵ。
【請求項１２】
前記ＭＡＣリセットインジケータはサービングセル変更ＭＡＣリセット情報要素を含むことを特徴とする請求項１１に記載のＷＴＲＵ。
【請求項１３】
前記ＭＡＣエンティティはＭＡＣ高速（ＭＡＣ−ｈｓ）エンティティまたはＭＡＣ拡張高速（ＭＡＣ−ｅｈｓ）エンティティのうちの少なくとも１つを含むことを特徴とする請求項１１に記載のＷＴＲＵ。
【請求項１４】
前記プロセッサは、前記ターゲットセルおよび前記現在のセルを制御するノードＢがＭＡＣ−ｈｓ／ｅｈｓの保存を対応しない場合に、前記ＭＡＣエンティティをリセットするように構成されることを特徴とする請求項１１に記載のＷＴＲＵ。
【請求項１５】
前記プロセッサは、ターゲットセルＨＳ−ＤＳＣＨ事前設定情報と共に前記ターゲットセル用の拡張専用チャネル（Ｅ−ＤＣＨ：Ｅｎｈａｎｃｅｄ  Ｄｅｄｉｃａｔｅｄ  Ｃｈａｎｎｅｌ）事前設定情報を受信し、前記Ｅ−ＤＣＨ事前設定情報を使用してＥ−ＤＣＨサービングセル変更を実行するように構成されることを特徴とする請求項１１に記載のＷＴＲＵ。
【請求項１６】
前記プロセッサは、ハンドオーバーコマンドにおける前記ターゲットセル用の拡張専用チャネル（Ｅ−ＤＣＨ：Ｅｎｈａｎｃｅｄ  Ｄｅｄｉｃａｔｅｄ  Ｃｈａｎｎｅｌ）設定情報を受信し、前記Ｅ−ＤＣＨ設定情報を使用してサービングＥ−ＤＣＨセル変更を実行するように構成されることを特徴する請求項１１に記載のＷＴＲＵ。
【請求項１７】
前記トランシーバは、前記ターゲットセル事前設定情報を受信するようにさらに構成され、
前記ＷＴＲＵは、前記ターゲットセル事前設定情報を格納するように構成されるメモリをさらに備えることを特徴とする請求項１１に記載のＷＴＲＵ。
【発明の詳細な説明】
【技術分野】
【０００１】
本願は、無線通信に関する。
【背景技術】
【０００２】
高速ダウンリンクパケットアクセス（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）は、第三世代パートナーシッププロジェクト（３ＧＰＰ：ｔｈｅ  Ｔｈｉｒｄ  Ｇｅｎｅｒａｔｉｏｎ  Ｐａｒｔｎｅｒｓｈｉｐ  Ｐｒｏｊｅｃｔ）仕様のリリース５において導入された機能である。ＨＳＤＰＡは、３つの重要な概念である適応変調符号化（ＡＭＣ：Ａｄａｐｔｉｖｅ  Ｍｏｄｕｌａｔｉｏｎ  ａｎｄ  Ｃｏｄｉｎｇ）と、ハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）を実行することによる高速物理層再送と、高速ノードＢスケジューリングとを使用して、最大スペクトル効率を実現する。
【０００３】
ハンドオーバーは、無線送信／受信ユニット（ＷＴＲＵ：Ｗｉｒｅｌｅｓｓ  Ｔｒａｎｓｍｉｔ／Ｒｅｃｅｉｖｅ  Ｕｎｉｔ）が、サービスを中断せずに或るセルから別のセルへと切り替わるプロセスである。ハンドオーバーが起きる時、ＷＴＲＵは、新しいサービング高速ダウンリンク共有チャネル（ＨＳ−ＤＳＣＨ：Ｈｉｇｈ  Ｓｐｅｅｄ  Ｄｏｗｎｌｉｎｋ  Ｓｈａｒｅｄ  Ｃｈａｎｎｅｌ）セル（ターゲットセル）に切り替わって、古いサービングＨＳ−ＤＳＣＨセル（ソースセル）との通信を停止する必要がある。この手順は、サービングＨＳ−ＤＳＣＨセル変更とも呼ばれる。
【０００４】
ＷＴＲＵは、隣接セルとサービングＨＳ−ＤＳＣＨセルとの信号強度を持続的に監視する。隣接セルの共通パイロットチャネル（ＣＰＩＣＨ：Ｃｏｍｍｏｎ  Ｐｉｌｏｔ  Ｃｈａｎｎｅｌ）で測定された信号強度がサービングセルのＣＰＩＣＨで測定された信号強度を上回る（即ち、イベント１Ｄ）時、ＷＴＲＵは、無線リソース制御（ＲＲＣ：Ｒａｄｉｏ  Ｒｅｓｏｕｒｃｅ  Ｃｏｎｔｒｏｌ）測定レポートを無線ネットワークコントローラ（ＲＮＣ：Ｒｅｄｉｏ  Ｎｅｔｗｏｒｋ  Ｃｏｎｔｒｏｌｌｅｒ）に送って最適セルの変更を報告する。イベント１Ｄによってトリガされた測定レポートは、測定値とセル識別子（ＩＤ）とを含む。
【０００５】
イベントＩＤ測定レポートを受信すると、ＲＮＣは、ターゲットセルへのハンドオーバーを実行することに決定する。サービングＲＮＣ（ＳＲＮＣ：Ｓｅｒｖｉｎｇ  ＲＮＣ）は、制御ＲＮＣ（ＣＲＮＣ：Ｃｏｎｔｒｏｌｌｉｎｇ  ＲＮＣ）がターゲットセルにおいて、無線ネットワークサブシステムアプリケーション部（ＲＮＳＡＰ：Ｒａｄｉｏ  Ｎｅｔｗｏｒｋ  Ｓｕｂｓｙｓｔｅｍ  Ａｐｐｌｉｃａｔｉｏｎ  Ｐａｒｔ）およびノードＢアプリケーション部（ＮＢＡＰ：Ｎｏｄｅ  Ｂ  Ａｐｐｌｉｃａｔｉｏｎ  Ｐａｒｔ）メッセージを介して、ＷＴＲＵにＨＳ−ＤＳＣＨリソース（ＨＳ−ＤＳＣＨ無線ネットワーク一時識別子（Ｈ−ＲＮＴＩ：ＨＳ−ＤＳＣＨ  Ｒａｄｉｏ  Ｎｅｔｗｏｒｋ  Ｔｅｍｐｏｒａｒｙ  Ｉｄｅｎｔｉｔｙ）、高速共有制御チャネル（ＨＳ−ＳＣＣＨ：Ｈｉｇｈ  Ｓｐｅｅｄ  Ｓｈａｒｅｄ  Ｃｏｎｔｒｏｌ  Ｃｈａｎｎｅｌ）コード、ＨＡＲＱリソース等）を割り当てるように要求する。いったんＨＳ−ＤＳＣＨリソースが予約されると、ＣＲＮＣは、すべての情報をＳＲＮＣに供給し、そしてＳＲＮＣが、ＲＲＣメッセージをＷＴＲＵに送る。サービングＨＳ−ＤＳＣＨセル変更を表示するのに使用することができるＲＲＣメッセージは、物理チャネル再設定、トランスポートチャネル再設定、無線ベアラ再設定、アクティブセット更新等を含むことができる。ＲＲＣメッセージは、ＷＴＲＵがターゲットセルの監視を開始するために必要な無線アクセスパラメータをＷＴＲＵに供給する。さらに、ＲＲＣメッセージは、ハンドオーバーを行うべき起動時刻を供給することができる。
【０００６】
ハンドオーバーは、同期か非同期のどちらでもよい。非同期ハンドオーバーにおいて、ネットワークとＷＴＲＵとは、リソースとスイッチとを同時に起動しない。ＷＴＲＵの起動時刻は、“直ちに（ｎｏｗ）”にセットされる。これによりハンドオーバー手順に関連する遅延が軽減される。しかしながら、それによりデータ損失の可能性が増す。
【０００７】
同期ハンドオーバーにおいて、ネットワークとＷＴＲＵとは、リソースの変更を同時に実行する。しかしながら、ネットワークは、スケジューリング遅延、再送、設定時刻等のあらゆる種類の遅延を考慮するために起動時刻を控えめにセットしなければならない。従って、同期ハンドオーバーはデータ損失を最小限にするが、遅延がより長くなる。
【０００８】
通常、ＲＲＣハンドオーバーメッセージは、ソースノードＢ経由でＷＴＲＵに送られる。サービングＨＳ−ＤＳＣＨセル変更に関連する遅延が原因で、ＲＲＣハンドオーバーメッセージが失敗し、許容できない途切れる電話の比率を引き起こす恐れがある。
【０００９】
サービングＨＳ−ＤＳＣＨセル変更手順を最適化するためにいくつかの提案が行われた。その提案に従って、ＷＴＲＵとノードＢとにＨＳ−ＤＳＣＨ設定情報、即ち、ターゲットセル事前設定を事前にロードする（即ち、事前に設定する）ことができる。
【００１０】
ターゲットセル事前設定は、ネットワークがＨＳ−ＳＣＣＨを使用してソースセルおよび／またはターゲットセルを介してサービングＨＳ−ＤＳＣＨセル変更コマンドを送ることを可能にし、よってサービングＨＳ−ＤＳＣＨセル変更手順にロバスト性を加える。ターゲットセル事前設定は、アクティブセット更新手順を介してＷＴＲＵに供給される。より詳細には、セルがアクティブセットに加えられる（即ち、イベント１Ａまたは１Ｃがトリガされる）時、ネットワークは、アクティブセット更新メッセージをＷＴＲＵに送り、アクティブセット更新メッセージは、個別物理チャネル情報に加えて、新しいセルのＨＳ−ＤＳＣＨサービングセル情報（Ｈ−ＲＮＴＩ、ＨＳ−ＤＳＣＨ等）を含む。
【００１１】
イベント１Ｄがトリガされて、ＷＴＲＵがターゲットセルへのサービングセル変更を要求する測定レポートを送信する時、ＷＴＲＵは、（ターゲットセル事前設定情報を使用して）、ソースセルにおけるＨＳ−ＳＣＣＨセットに加えてターゲットセルのＨＳ−ＳＣＣＨの監視も開始する。ネットワークは、その後ターゲットセルにおいてＨＳ−ＳＣＣＨを送って、サービングセル変更をトリガする。ターゲットセル上のＨＳ−ＳＣＣＨを受信すると、ＷＴＲＵは、このターゲットセルへのＨＳ−ＤＳＣＨサービングセル変更を実行する。
【００１２】
通常のサービングＨＳ−ＤＳＣＨセル変更手順において、ＷＴＲＵは、ネットワークからＷＴＲＵに明示的に表示されるイントラノードＢのハンドオーバーが起きる時にＭＡＣ−ｈｓまたはＭＡＣ−ｅｈｓのリセットを実行する。ネットワークは、ハンドオーバーメッセージにおけるＭＡＣ−ｈｓ／ｅｈｓリセットインジケータを介して、ＭＡＣ−ｈｓ／ｅｈｓリセットが必要かどうかをＷＴＲＵに信号で知らせる。ＭＡＣ−ｈｓ／ｅｈｓインジケータがセットされる場合、ＷＴＲＵは、ＭＡＣ−ｈｓ／ｅｈｓリセットを実行する。そうでなければ、ＭＡＣ−ｈｓ／ｅｈｓリセットは実行されない。上記の提案に従った新しい変更の導入によって、或る問題が起きることがある。
【００１３】
まず、イベント１Ｄ（最適セルの変更）が起きる時、ＷＴＲＵは、ソースセルにおけるＨＳ−ＳＣＣＨを監視し続けながらターゲットセルにおけるＨＳ−ＳＣＣＨの監視を開始する。サービングセルの変更を確認するＨＳ−ＳＣＣＨ命令がターゲットセルから受信される場合、ＷＴＲＵは、ＭＡＣ−ｅｈｓまたはＭＡＣ−ｈｓのリセットが必要かどうかを判断する方法がない。これは、ターゲットＨＳ−ＳＣＣＨが、ＲＲＣハンドオーバーコマンドによって行われるような、ＷＴＲＵにリセットを実行するように命令する明示的なインジケータを含まないという事実による。ネットワークが、ＭＡＣ−ｈｓまたはＭＡＣ−ｅｈｓのコンテキストがネットワーク側でリセットされるインターノードＢハンドオーバーまたはイントラノードＢハンドオーバーを実行した場合、リセットが必要である。ＷＴＲＵは、このようなリセットがネットワーク側で実行されたことを判断する方法がない。ＭＡＣ−ｅｈｓまたはＭＡＣ−ｈｓのリセット手順は、送信シーケンス番号（ＴＳＮ：Ｔｒａｎｓｍｉｓｓｉｏｎ  Ｓｅｑｕｅｎｃｅ  Ｎｕｍｂｅｒ）値をゼロにリセットすること、ハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）バッファをフラッシュすること等を備える。ＷＴＲＵがリセットを実行しない場合、ＷＴＲＵは、ネットワークに同期されないので、データ損失の可能性が生じる。
【００１４】
さらに、ハンドオーバーが起きる時、ＷＴＲＵは、ターゲットセルに切り替わってダウンリンクのデータトラフィックを受信する。しかしながら、アップリンクトラフィックに何が起きて、どのようにしてＷＴＲＵにターゲットセルのアップリンクリソースが割り当てられるかは明確でない。現在の３ＧＰＰ  ＲＲＣ仕様に従って、サービングＨＳ−ＤＳＣＨセルとサービングＥ−ＤＣＨ（Ｅｎｈａｎｃｅｄ  Ｄｅｄｉｃａｔｅｄ  Ｃｈａｎｎｅｌ）セルとは同一でなければならない。従って、アップリンクにおいてハンドオーバーを実行するための効率的な方法も定義されなければならない。
【００１５】
最後に、ネットワークは、ＷＴＲＵが高速最適化ハンドオーバーを対応するかどうかを認識してない。従って、ネットワークがハンドオーバーメッセージをターゲットセル上に送信することを開始しても、ＷＴＲＵは、そのような特性をＷＴＲＵが対応しないのでそれを受信することができない。これによって、ＨＳ−ＤＳＣＨセル変更が失敗するので、ＷＴＲＵはＣＥＬ＿ＦＡＣＨ状態まで戻ってターゲットセルに対してセル再選択を開始しなくてはならないであろう。
【発明の概要】
【００１６】
サービングＨＳ−ＤＳＣＨセル変更のための方法および装置が開示される。ＷＴＲＵは、ターゲットセルの信号強度がソースセルの信号強度に近づく時に測定レポートをＲＮＣに送る。ＲＮＣは、ターゲットセルをアクティブセットに加えて、ターゲットセル用の事前にロードされたＨＳ−ＤＳＣＨ設定情報をＷＴＲＵに送る。ＷＴＲＵは、ターゲットセルの信号強度がソースセルの信号強度に上回る時に別の測定レポートを送る。ＷＴＲＵは、事前にロードされたＨＳ−ＤＳＣＨ設定情報に基づいてターゲットセル上のＨＳ−ＳＣＣＨを監視して、ターゲットセルからのＨＳ−ＳＣＣＨ送信を復号する。ＷＴＲＵは、ＭＡＣ−ｈｓ／ｅｈｓエンティティをリセットする必要があるかどうかの判断を行う。ＷＴＲＵは、ＭＡＣ−ｈｓ／ｅｈｓリセットを実行することを表示する設定パラメータが事前にロードされたＨＳ−ＤＳＣＨ設定情報に含まれていてかつＴＲＵＥにセットされる場合、またはその設定パラメータが事前にロードされたＨＳ−ＤＳＣＨ設定情報に含まれないもしくはＴＲＵＥにセットされないが、ソースセルとターゲットセルとの送信電力制御（ＴＰＣ：Ｔｒａｎｓｍｉｔ  Ｐｏｗｅｒ  Ｃｏｎｔｒｏｌ）組み合わせインデックス（オプションとしては、Ｅ−ＲＧＣＨ（Ｅ−ＤＣＨ  Ｒｅｌａｔｉｖｅ  Ｇｒａｎｔ  Ｃｈａｎｎｅｌ）組み合わせインデックス）が異なる場合に、ＭＡＣ−ｈｓ／ｅｈｓエンティティをリセットすることができる。ＷＴＲＵは、ターゲットセルとソースセルとを制御するノードＢがＭＡＣ−ｈｓ／ｅｈｓの保存を対応することを検出する場合、ＭＡＣ−ｈｓ／ｅｈｓエンティティをリセットすることができる。あるいは、事前にロードされるＨＳ−ＤＳＣＨ設定情報と共にターゲットセル用のＥ−ＤＣＨ設定情報を事前にロードすることができるまたはハンドオーバーコマンドにおいて供給することができる。ハンドオーバーコマンドを含むＨＳ−ＤＳＣＨ送信を共通ＨＳ−ＤＳＣＨリソースを使用して送信することができる。
【図面の簡単な説明】
【００１７】
添付図面と共に例示として与えられた以下の説明から、より詳細な理解を得ることができる。
【図１】一実施形態による例示的なプロセスのシグナリング図である。
【図２】ＭＡＣ−ｈｓ／ｅｈｓリセットを実行するための例示的なプロセスのフロー図である。
【図３】例示的なＷＴＲＵのブロック図である。
【発明を実施するための形態】
【００１８】
以下を参照する場合、用語「ＷＴＲＵ」は、ユーザ機器（ＵＥ）、移動局、固定式または移動式加入者ユニット、ポケットベル、携帯電話機、携帯情報端末（ＰＤＡ）、コンピュータ、または無線環境において動作することができるその他の種類のユーザデバイスを含むが、これに限らない。以下を参照する場合、用語「ノードＢ」は、基地局、サイトコントローラ、アクセスポイント（ＡＰ）、または無線環境において動作することができるその他の種類のインタフェーシングデバイスを含むが、これに限らない。以下、用語「ＭＡＣ−ｈｓ／ｅｈｓ」は、ＭＡＣ−ｈｓまたはＭＡＣ−ｅｈｓのどちらかを示すために使用される。
【００１９】
以下を参照する場合、ターゲットセル上のＨＳ−ＳＣＣＨまたはターゲットセルＨＳ−ＳＣＣＨの復号は、ＷＴＲＵがターゲットセルへのＨＳ−ＤＳＣＨサービングセル変更を実行してよいという表示としてターゲットセルによって送られたＨＳ−ＳＣＣＨ命令を示す。
【００２０】
一実施形態において、ＷＴＲＵがうまくＨＳ−ＳＣＣＨを復号した後にターゲットセルからデータを受信して、サービングセル変更を実行することを確保するために、ＷＴＲＵは、ターゲットセルを介して関連付けられたＨＳ−ＰＤＳＣＨでデータを受信する前にＭＡＣ−ｈｓ／ｅｈｓリセットを実行する。図１は、一実施形態に従った例示的なプロセス１００のシグナリング図である。ＷＴＲＵは、ターゲットセルの信号強度がサービングセルの信号強度に近づく時に、測定レポートをＲＮＣに送る（ステップ１０２）。ＲＮＣは、ターゲットセルをアクティブセットに加えるかを判断して、そのターゲットセル用のＨＳ−ＤＳＣＨ設定情報をＷＴＲＵに事前にロードする。ＷＴＲＵは、ターゲットセル用の事前にロードされたＨＳ−ＤＳＣＨ設定情報を受信して、事前にロードされたＨＳ−ＤＳＣＨ設定情報をメモリに格納する（ステップ１０６）。ＷＴＲＵは、ターゲットセルの信号強度がソースセルの信号強度を上回る時に別の測定レポート（イベントＩＤレポート）を送る（ステップ１０８）。ＷＴＲＵは、次に、事前にロードされたＨＳ−ＤＳＣＨ設定情報に基づいて、ソースセル上のＨＳ−ＳＣＣＨに加え、ターゲットセル上のＨＳ−ＳＣＣＨも監視する（ステップ１１０）。ＷＴＲＵは、ターゲットセル上のＨＳ−ＳＣＣＨ（即ち、ＨＳ−ＳＣＣＨ命令）を復号する（ステップ１１２）。ＷＴＲＵは、ＭＡＣ−ｈｓ／ｅｈｓリセットを実行するかどうかに関する判断を行う（ステップ１１４）。ＭＡＣ−ｈｓ／ｅｈｓリセットが必要である場合、ＷＴＲＵは、ターゲットセルからＨＳ−ＤＳＣＨ送信を受信する前にＭＡＣ−ｈｓ／ｅｈｓエンティティをリセットする（ステップ１１６）。ＭＡＣ−ｅｈｓ／ｈｓリセットはサービングセル変更時に実行されることを認識されたい。サービングセル変更が実行されてＷＴＲＵがターゲットセルを再設定する時、起動時刻が特定される場合に、ＭＡＣ−ｅｈｓ／ｈｓリセットが所定の起動時刻に実行される。
【００２１】
ＭＡＣ−ｈｓ／ｅｈｓリセットのトリガは、割り当てられたＨ−ＲＮＴＩでターゲットセルから最初のＨＳ−ＳＣＣＨを受信することであってよい。ＷＴＲＵにターゲットセルのためのＨ−ＲＮＴＩ（ターゲットＨ−ＲＮＴＩ）を事前にロードされたＨＳ−ＤＳＣＨ設定情報の一部として割り当てることができ、ＷＴＲＵが２つのＨ−ＲＮＴＩを同時に監視することができる（即ち、ターゲットＨ−ＲＮＴＩでターゲットセル上のＨＳ−ＳＣＣＨと、ソースセルのためのＨ−ＲＮＴＩ（ソースＨ−ＲＮＴＩ）でソースセル上のＨＳ−ＳＣＣＨとを監視する）。
【００２２】
あるいは、ＷＴＲＵは、ソースＨ−ＲＮＴＩでターゲットセル上のＨＳ−ＳＣＣＨを監視することができる。この場合、ネットワークは、ソースセル（即ち、サービングセル）においてＷＴＲＵに割り当てられるＨ−ＲＮＴＩと同じＨ−ＲＮＴＩが、ターゲットセルにおいて他のＷＴＲＵに割り当てられないことを確保しなければならない。
【００２３】
あるいは、ＷＴＲＵは、共通Ｈ−ＲＮＴＩを監視することができる。拡張ＣＥＬＬ＿ＦＡＣＨにおいて使用されるような方法を使用して、共通Ｈ−ＲＮＴＩを放送制御チャネル（ＢＣＣＨ：Ｂｒｏａｄｃａｓｔ  Ｃｏｎｔｒｏｌ  Ｃｈａｎｎｅｌ）から取得することができる。ネットワークは、ターゲットセルにおいて共通Ｈ−ＲＮＴＩを使用して、ハンドオーバーメッセージをＷＴＲＵに送信することができる。ネットワークは、共通Ｈ−ＲＮＴＩを、事前にロードされたＨＳ−ＤＳＣＨ設定情報の一部として一群のＷＴＲＵに割り当てることができる。ＷＴＲＵは、ターゲットセルにおいてこの共通Ｈ−ＲＮＴＩを監視して、ターゲットセルを介してハンドオーバーコマンドを受信すると、この共通Ｈ−ＲＮＴＩを専用Ｈ−ＲＮＴＩに変更することができる。
【００２４】
ＷＴＲＵは、ターゲットセルＨＳ−ＳＣＣＨを復号すると、あたかもＭＡＣ−ｈｓ／ｅｈｓリセットインジケータがセットされたかのように完全なＭＡＣ−ｈｓ／ｅｈｓリセットを実行することができる。あるいは、ＷＴＲＵは、部分的なＭＡＣ−ｈｓ／ｅｈｓリセットを実行することができる。この場合、ＷＴＲＵは、ＴＳＮをリセットして、シグナリング無線ベアラ（ＳＲＢ：Ｓｉｇｎａｌｉｎｇ  Ｒａｄｉｏ  Ｂｅａｒｅｒ）を搬送する論理チャネルがマッピングされるＭＡＣ−ｈｓ／ｅｈｓキューのリオーダリング変数とタイマとを再初期化するだけでよい。ＨＳ−ＳＣＣＨを復号した後に、ＷＴＲＵは、ＴＳＮ、およびハンドオーバーコマンドを搬送するＳＲＢによって設定されたキューの変数かつタイマをリセットする。ＭＡＣ−ｈｓ／ｅｈｓキューが１つだけリセットされる場合に、部分的なＭＡＣ−ｈｓ／ｅｈｓリセットのトリガは、ターゲットセル上のＨＳ−ＳＣＣＨを検出する代わりにＷＴＲＵによってイベント１Ｄ測定レポートを送信することで可能になる。ハンドオーバーコマンドを受信した後、ＷＴＲＵは、ＭＡＣ−ｈｓ／ｅｈｓリセットインジケータがセットされる場合にすべてのＭＡＣ−ｈｓ／ｅｈｓエンティティをリセットすることができる。
【００２５】
リリース８以前の３ＧＰＰシステムにおいて、イントラノードＢのハンドオーバーが起きてそのノードＢがＭＡＣ−ｈｓ／ｅｈｓの保存を対応する場合、ソースセルとターゲットセルとの両方が同じノードＢによって制御されるので、ＷＴＲＵは、ＭＡＣ−ｈｓ／ｅｈｓリセットを実行する必要がない。ＭＡＣ−ｈｓ／ｅｈｓの保存は、ＭＡＣ−ｈｓ／ｅｈｓのコンテキストを転送または共有することができるノードＢまたはネットワークに言及するので、ＭＡＣ−ｈｓ／ｅｈｓ変数をリセットしてバッファをフラッシュする必要がない。サービングセル変更がＭＡＣ−ｈｓ／ｅｈｓの保存を対応するセルの中で起きる場合、ＷＴＲＵがＭＡＣ−ｈｓ／ｅｈｓリセットを実行する必要はない。しかしながら、ＷＴＲＵがＭＡＣ−ｈｓ／ｅｈｓリセットをターゲットセルＨＳ−ＳＣＣＨの受信に準拠させる場合、ＷＴＲＵは、ハンドオーバーの種類にかかわらず、たとえ必要がなくてもＭＡＣ−ｈｓ／ｅｈｓエンティティを常にリセットする恐れがある。これによって、ノードＢがＭＡＣ−ｅｈｓ／ｈｓのコンテキストを再初期化しなくても、ＷＴＲＵが再初期化する場合、ＷＴＲＵとネットワークとの間で脱同期化が生じることもある。
【００２６】
ＷＴＲＵは、以下の方法の１つまたはその組み合わせを使用して、ターゲットセル上のターゲットセルＨＳ−ＳＣＣＨを受信する時にＭＡＣ−ｈｓ／ｅｈｓリセットが必要かどうかを判断することができる。ＷＴＲＵには、ターゲットセルにおいて監視するための２つ以上のＨＳ−ＳＣＣＨコードを割り当てることができる。ＭＡＣ−ｈｓ／ｅｈｓリセットを実行するための信号を、１番目の送信をスケジュールするのに使用されるＨＳ−ＳＣＣＨコードに準拠させることができる。例えば、ネットワークがその１番目のコードを使用する場合、ＭＡＣ−ｈｓ／ｅｈｓリセットが実行される。そうでなければ、ＭＡＣ−ｈｓ／ｅｈｓリセットは実行されない。ネットワークは、ＷＴＲＵをこの情報によって設定することができる、またはＷＴＲＵは、どのコードがＭＡＣリセットを表示するのに使用されるかを認識するように事前に設定される。
【００２７】
あるいは、ネットワークは、ＭＡＣ−ｈｓ／ｅｈｓリセットが必要かどうかを表示するためにサブフレーム番号を使用することができる。例えば、ＷＴＲＵが偶数番のサブフレームでターゲットセルＨＳ−ＳＣＣＨを検出する場合、ＷＴＲＵはＭＡＣ−ｈｓ／ｅｈｓリセットを実行して、ＷＴＲＵが奇数番のサブフレーム上でターゲットセルＨＳ−ＳＣＣＨを検出する場合、ＷＴＲＵはＭＡＣ−ｈｓ／ｅｈｓリセットを実行しない。
【００２８】
あるいは、ＨＳ−ＳＣＣＨ命令を使用して、ＭＡＣ−ｈｓ／ｅｈｓリセットを実行するようにＷＴＲＵに表示することができる。ＨＳ−ＳＣＣＨ命令を使用して、サービングセル変更とＭＡＣ−ｈｓ／ｅｈｓリセットを実行する必要とを表示でき、別のＨＳ−ＳＣＣＨ命令を使用して、ＭＡＣ−ｈｓ／ｅｈｓリセットなしに、サービングセル変更だけを表示することができる。あるいは、特定のＨＳ−ＳＣＣＨ命令を使用して、ＭＡＣ−ｈｓ／ｅｈｓリセットを命令することができる。
【００２９】
あるいは、ＷＴＲＵは、ＭＡＣ−ｈｓ／ｅｈｓリセットが必要かどうかを判断する際、アクティブセットにおけるセルの無線リンクからの情報を使用することができる。ＷＴＲＵは、オプションとしてＥ−ＲＧＣＨ（Ｅ−ＤＣＨ  Ｒｅｌａｔｉｖｅ  Ｇｒａｎｔ  Ｃｈａｎｎｅｌ）情報を使用することができる。ターゲットセルのＥ−ＲＧＣＨ組み合わせインデックスが現在のサービングＥ−ＤＣＨセル（即ち、ソースセル）の組み合わせインデックスと等しい場合、そのソースセルとターゲットセルとは同じノードＢに属し（即ち、それらのセルはサービングＥ−ＤＣＨのＲＬＳ（Ｒａｄｉｏ  Ｌｉｎｋ  Ｓｅｔ）に属する）、ＭＡＣ−ｈｓ／ｅｈｓリセットは、ハンドオーバーコマンドにおいて表示されない限り、必要ない。ターゲットセルがサービングセルＥ−ＤＣＨ  ＲＬＳに属さない場合、ＷＴＲＵは、ＭＡＣ−ｈｓ／ｅｈｓリセットを実行することができる。オプションとしては、ＷＴＲＵは、ＳＲＢを搬送する論理チャネルのために設定されるキューのＭＡＣ−ｈｓ／ｅｈｓリセット（即ち、部分的なＭＡＣ−ｈｓ／ｅｈｓリセット）を実行することができる。あるいは、ＴＰＣ組み合わせインデックスを使用することができる。ターゲットセルのＴＰＣ組み合わせインデックスがソースセルのＴＰＣ組み合わせインデックスと同じである場合、それらのセルは、同じノードＢに属し、ＭＡＣ−ｈｓ／ｅｈｓリセットは実行されない。
【００３０】
あるいは、付加的には、新しい設定パラメータ（即ち、情報要素（ＩＥ：Ｉｎｆｏｒｍａｔｉｏｎ  Ｅｌｅｍｅｎｔ））を、アクティブセット更新手順の一部として供給される事前にロードされたＨＳ−ＤＳＣＨ設定情報のリストに加えることができる。この新しい設定パラメータは、サービングセル変更がこのセルに対して実行される時にＭＡＣ−ｈｓ／ｅｈｓリセットを実行すべきかどうかを表示する。
【００３１】
例えば、新しい設定パラメータを、（０から５までの）整数値を有する「ＭＡＣ−ｈｓ／ｅｈｓリセットインデックス」形式にすることができる。同じノードＢに属してＭＡＣ−ｈｓ／ｅｈｓの保存を対応するセルに対して、「ＭＡＣ−ｈｓ／ｅｈｓリセットインデックス」が同じ値にセットされて、同じＭＡＣ−ｈｓ／ｅｈｓリセットインデックスを有する無線リンクは、サービングセル変更がそれらのセル間で起きた時にＭＡＣ−ｈｓ／ｅｈｓの保存を実行する能力を有する。サービングセル変更がトリガされて、ソースセルとターゲットセルとのＭＡＣ−ｈｓ／ｅｈｓリセットインデックスが同じである時、ＷＴＲＵは、ＭＡＣ−ｈｓ／ｅｈｓリセットを実行しない。ソースセルとターゲットセルとのＭＡＣ−ｈｓ／ｅｈｓリセットインデックスが異なる場合、ＷＴＲＵは、ＨＳ−ＳＣＣＨ命令を受信すると、または、ターゲットセル上の事前に設定したＨ−ＲＮＴＩによって１番目のＨＳ−ＳＣＣＨを復号すると、ＭＡＣ−ｈｓ／ｅｈｓリセットを実行する。
【００３２】
あるいは、新しい設定パラメータを供給して、同じノードＢに属する無線リンクがＭＡＣ−ｈｓ／ｅｈｓの保存を対応するかどうかを表示することができる。例えば、１ビットのインジケータ（新しいＩＥ）を、必要なＨＳ−ＤＳＣＨ設定情報を事前にロードするＲＲＣメッセージに含むことができる。この新しい情報要素は「サービングセルＭＡＣリセットインジケータ」と呼ばれる。サービングセルＭＡＣリセットインジケータは、現在のノードＢがＭＡＣ−ｈｓ／ｅｈｓの保存を対応するかどうか（即ち、ＭＡＣ−ｈｓ／ｅｈｓリセットを実行すべきかどうか）を表示する。事前にロードされた設定情報におけるサービングセルＭＡＣリセットインジケータがＴＲＵＥにセットされる場合、ＷＴＲＵは、ＭＡＣ−ｈｓ／ｅｈｓリセットを実行する。サービングセルＭＡＣリセットインジケータがＴＲＵＥにセットされない場合、ＷＴＲＵは、この情報を、Ｅ−ＲＧＣＨ組み合わせインデックスまたはＴＰＣ組み合わせインデックスの無線リンク情報と組み合わせる。より詳細には、ＷＴＲＵは、ＴＰＣ組み合わせインデックス（またはオプションとしては、Ｅ−ＲＧＣＨ組み合わせインデックス）を使用して、ＭＡＣ−ｅｈｓ／ｈｓリセットを実行すべきかどうかを判断する。ソースセルとターゲットセルとの両方が同じＴＰＣ組み合わせインデックス（またはオプションとしては、同じＥ−ＲＧＣＨ組み合わせインデックス）を有する場合、無線リンクは同じ無線リンクのセット（即ち、同じノードＢ）に属し、サービングセルＭＡＣリセットインジケータがＴＲＵＥにセットされない場合、ＷＴＲＵは、ノードＢがＭＡＣ−ｈｓ／ｅｈｓの保存を対応すると判断するので、ＭＡＣ−ｈｓ／ｅｈｓリセットは必要ない。サービングセルＭＡＣリセットインジケータが、ノードＢがＭＡＣ−ｈｓ／ｅｈｓの保存を対応すると表示する（即ち、サービングセルＭＡＣリセットインジケータがＴＲＵＥにセットされない）場合、およびソースセルとターゲットセルとが同じＴＰＣ組み合わせインデックス（オプションとしては、Ｅ−ＲＧＣＨ組み合わせインデックス）を有する場合、ＷＴＲＵは、ＭＡＣ−ｈｓ／ｅｈｓリセットを実行しない。サービングセルＭＡＣリセットインジケータが、ノードＢがＭＡＣ−ｈｓ／ｅｈｓの保存を対応しないと表示する（即ち、ＴＲＵＥにセットされない）場合、およびソースセルとターゲットセルとが異なるＴＰＣ組み合わせインデックス（オプションとしては、Ｅ−ＲＧＣＨ組み合わせインデックス）を有する（即ち、異なるノードＢに属する）場合、ＷＴＲＵは、（サービングセル変更を表示する）ＨＳ−ＳＣＣＨ命令を受信すると、ＭＡＣ−ｈｓ／ｅｈｓリセットを実行する。
【００３３】
図２は、上記に開示された実施形態に従ってＭＡＣ−ｈｓ／ｅｈｓリセットを実行するプロセスのフロー図である。ＷＴＲＵは、ターゲットセルＨＳ−ＳＣＣＨ（即ち、ＨＳ−ＳＣＣＨ命令）を受信する（ステップ２０２）。ＨＳ−ＳＣＣＨ命令は、上位層に渡される。サービングセルＭＡＣリセットインジケータがＴＲＵＥにセットされるかどうかを判断する（ステップ２０４）。サービングセルＭＡＣリセットインジケータがＴＲＵＥにセットされる場合、ＷＴＲＵは、ＭＡＣ−ｈｓ／ｅｈｓリセットを実行する（ステップ２０６）。サービングセルＭＡＣリセットインジケータがＴＲＵＥにセットされない場合、ソースセルとターゲットセルとのＴＰＣ組み合わせインデックス（オプションとしては、Ｅ−ＲＧＣＨ組み合わせインデックス）が異なるかどうかを判断する（ステップ２０８）。異なる場合、ＷＴＲＵは、ＭＡＣ−ｈｓ／ｅｈｓリセットを実行する（ステップ２０６）。異なっていない場合、ＷＴＲＵは、ＭＡＣ−ｈｓ／ｅｈｓリセットを実行しない。
【００３４】
別の実施形態に従って、ＷＴＲＵは、ターゲットセル上のＨＳ−ＳＣＣＨを読み出す時にＭＡＣリセットを実行しないが、ネットワークは、ＷＴＲＵが予期する次のＴＳＮを使用することでターゲットセルからのデータが廃棄されないことを確保する。これは、ＭＡＣ−ｈｓ／ｅｈｓ情報をソースセルからターゲットセルに転送することによって実行される。ソースセルは、ハンドオーバーコマンドを含むＳＲＢによって設定されるキューに使用される次のＴＳＮと、場合によりＴ１タイマ値等の他の変数とのみを転送することができる。あるいは、設定されるすべてのキューの情報をターゲットセルに転送することができる。このことは、ＷＴＲＵがハンドオーバーコマンドを廃棄しないことを確保する。
【００３５】
別の実施形態に従って、ソースセルにおけるＭＡＣ−ｈｓ／ｅｈｓコンテキストがなおも起動状態である間に、ターゲットセルにおいて使用するためにＨ−ＲＮＴＩがＷＴＲＵに供給されるとすぐに、ＷＴＲＵは、新しいＭＡＣ−ｈｓ／ｅｈｓコンテキストのインスタンス（即ち、リオーダリングキューごとのＴＳＮ値、リオーダリングキュー等）を作成する。短い期間に、ＷＴＲＵは、２つのＭＡＣ−ｈｓ／ｅｈｓコンテキストを、１つはソースセル用に、もう１つはターゲットセル用に維持管理する。ハードウェアの実施を容易にするために、その期間、両方のコンテキスト間で物理リソース（例えば、メモリ）を共有することができる。ＲＲＣシグナリングによってＷＴＲＵがＭＡＣ−ｈｓ／ｅｈｓリセットを実行するように命令される時、またはＷＴＲＵがターゲットセル上のＨＳ−ＳＣＣＨでそのＨ−ＲＮＴＩを復号した後、ＷＴＲＵは、ソースセルのＭＡＣ−ｈｓ／ｅｈｓコンテキストを除去して、すべての物理リソースをターゲットセルのＭＡＣ−ｈｓ／ｅｈｓコンテキストに割り当てることができる。
【００３６】
別の実施形態に従って、ターゲットセル用のアップリンクＥ−ＤＣＨ設定情報もＨＳ−ＤＳＣＨ設定情報と同時に事前にロードされる。Ｅ−ＤＣＨ設定情報は、Ｅ−ＡＧＣＨ（Ｅ−ＤＣＨ  Ａｂｓｏｌｕｔｅ  Ｇｒａｎｔ  Ｃｈａｎｎｅｌ）情報、Ｅ−ＤＣＨ無線ネットワーク一時識別子（Ｅ−ＲＮＴＩ：Ｅ−ＤＣＨ  Ｒａｄｉｏ  Ｎｅｔｗｏｒｋ  Ｔｅｍｐｏｒａｒｙ  Ｉｄｅｎｔｉｔｙ）、送信時間間隔（ＴＴＩ：Ｔｒａｎｓｍｉｓｓｉｏｎ  Ｔｉｍｅ  Ｉｎｔｅｒｖａｌ）、サービング許可値、参照Ｅ−ＴＦＣＩ（Ｅ−ＤＣＨ  Ｔｒａｎｓｐｏｒｔ  Ｆｏｒｍａｔ  Ｃｏｍｂｉｎａｔｉｏｎ  Ｉｎｄｅｘ）、Ｅ−ＨＩＣＨ（Ｅ−ＤＣＨ  ＨＡＲＱ  Ｉｎｄｉｃａｔｏｒ  Ｃｈａｎｎｅｌ）情報、およびＥ−ＲＧＣＨ情報を含むことができるが、これに限らない。Ｅ−ＤＰＣＣＨ（Ｅ−ＤＣＨ  Ｄｅｄｉｃａｔｅｄ  Ｐｈｙｓｉｃａｌ  Ｃｏｎｔｒｏｌ  Ｃｈａｎｎｅｌ）対ＤＰＣＣＨ（Ｄｅｄｉｃａｔｅｄ  Ｐｈｙｓｉｃａｌ  Ｃｈａｎｎｅｌ）の電力オフセット、Ｅ−ＤＣＨ最小セットＥ−ＴＦＣＩ、および他のパラメータ等の他の情報を、同時に供給することができるまたはハンドオーバーコマンドによって供給することができる。すべての必要な情報が事前に設定したリソースの一部として供給される場合、ネットワークは、ハンドオーバーコマンドを送る必要すらなくなることに留意されたい。より詳細には、ＲＲＣハンドオーバーコマンドを復号する必要とせず、ＷＴＲＵは、ターゲットセルからＨＳ−ＳＣＣＨ命令を受信すると、Ｅ−ＤＣＨおよびＨＳ−ＤＳＣＨサービングセル変更を首尾よく実行することができる。
【００３７】
あるいは、ターゲットセル用のＥ−ＤＣＨ設定情報をＨＳ−ＤＳＣＨ設定情報と共に事前にロードさせることはできないが、ターゲットセルを介してＷＴＲＵに送られるハンドオーバーコマンドにおいて供給することができる。この手順を実施するために、ＷＴＲＵの動きを修正しなければならない。ＷＴＲＵは、ハンドオーバー手順時に以下のステップを実行することができる。イベント１Ｄがトリガされる時、アップリンク送信は、ソースセル（即ち、サービングＥ−ＤＣＨセル）に対して正常に継続する一方、ターゲットセルがハンドオーバー中である。ＷＴＲＵがターゲットセル上のＨＳ−ＳＣＣＨを復号する時に、ＷＴＲＵは、ソースセルにおけるアップリンク送信を即座に停止し、ハンドオーバーコマンドが処理されてターゲットセルがサービングＥ−ＤＣＨセルとして設定されるまで停止する。あるいは、ＷＴＲＵは、ターゲットセル上のダウンリンクにおいてＨＳ−ＳＣＣＨが復号されていても、アップリンクにおいてデータをソースセルに送信し続ける。ＷＴＲＵは、いったんハンドオーバーコマンドが受信されてＥ−ＤＣＨ情報が復号されると、ターゲットセルに切り替わる。その変更は、設定が完了するとすぐに（即ち、起動時刻が“直ちに（ｎｏｗ）”にセットされる）、または所定の起動時刻に行うことができる。これは、サービングＥ−ＤＣＨセルとサービングＨＳ−ＤＳＣＨセルとが常に同一でないことを必要とする。その２つが同一になるまでわずかな遅れが起きることがある。あるいは、サービングＥ−ＤＣＨセルとサービングＨＳ−ＤＳＣＨセルとは、ハンドオーバーコマンドが受信されるまで変更したと見なされない。
【００３８】
別の実施形態に従って、ＷＴＲＵは、ターゲットセル上のＨＳ−ＳＣＣＨが復号されるとすぐにＳＩ（Ｓｃｈｅｄｕｌｉｎｇ  Ｉｎｆｏｒｍａｔｉｏｎ）の送信をトリガすることができる。これによって、ターゲットセルがＷＴＲＵを適切にスケジュールすることができるようになる。ＨＳ−ＳＣＣＨが復号されるとすぐに、またはターゲットセルを介して１番目のＭＡＣ  ＰＤＵを首尾よく受信した後にのみＳＩを送ることができる。あるいは、アップリンクが適切に設定されるとすぐにＳＩを送ることができる。ネットワークは、ハンドオーバーが首尾よく行われたことを表示するものとしてＳＩの受信を使用することができる。
【００３９】
さらに、１番目のＨＳ−ＳＣＣＨが受信されるとすぐにＷＴＲＵも、高速チャネル品質インジケータ（ＣＱＩ：Ｃｈａｎｎｅｌ  Ｑｕａｌｉｔｙ  Ｉｎｄｉｃａｔｏｒ）レポーティングを開始することができる。ＣＱＩレポートの頻度は、設定されたＣＱＩレポーティングの頻度よりも高くてよい。例えば、ＣＱＩをＮ連続ＴＴＩ（ｎ≧１）ごとにＸ回送ることができ、その後、それを正常な動きに戻すことができる。あるいは、ＣＱＩを、短い設定期間にまたはハンドオーバーが首尾よく受信されるまで頻度を上げて送ることができる。ネットワークは、ＷＴＲＵのトリガとして割り当てられたＨ−ＲＮＴＩで１番目のＨＳ−ＳＣＣＨをスケジュールして、ＨＳ−ＤＰＣＣＨを介してＣＱＩを送信することを即座に開始することができる。いったんターゲットノードＢが１番目のＣＱＩレポートまたはＸ  ＣＱＩレポートを受信したら、それは、ダウンリンクにおいてデータ送信を開始することができる。
【００４０】
あるいは、ＷＴＲＵは、ターゲットセルを介してそのＥ−ＲＮＴＩでＥ−ＡＧＣＨを受信することを、ハンドオーバーがネットワーク側で行われたことを表示するものとして使用することができ、従ってターゲットセルに切り替わってターゲットセル上のＨＳ−ＳＣＣＨを監視することができる。
【００４１】
別の実施形態に従って、新しいＷＴＲＵ特性情報はＲＲＣメッセージ（例えば、ＲＲＣ接続要求メッセージ）に加えられて、ＷＴＲＵが最適化されたＨＳ−ＤＳＣＨサービングセル変更を対応することを表示する。ＷＴＲＵがそれを対応しない場合、ネットワークは、ＨＳ−ＤＳＣＨまたはＥ−ＤＣＨ設定情報を事前にロードしなくて、かつ手順を実施しない。あるいは、ＷＴＲＵは、事前にロードされたＨＳ−ＤＳＣＨ設定情報またはＥ−ＤＣＨ設定情報がネットワークによって供給されない場合、手順を実行しないことを暗示的に認識する。あるいは、最適化されたＨＳ−ＤＳＣＨサービングセル変更手順を、すべてのＷＴＲＵの強制機能とすることができる。
【００４２】
別の実施形態に従って、ＷＴＲＵは、システム情報ブロック（ＳＩＢ：Ｓｙｓｔｅｍ  Ｉｎｆｏｒｍａｔｉｏｎ  Ｂｌｏｃｋ）に報知される共通ＨＳ−ＤＳＣＨリソース、またはターゲットセルにおいてＨＳ−ＳＣＣＨを受信するためにアクティブセットの更新手順の一部としてＷＴＲＵに供給される共通リソースを使用することができる。ＲＲＣシグナリングを介してＷＴＲＵに供給される共通リソースは、ＷＴＲＵがそれについて事前に設定されたリソースを有しない、またはそれがＷＴＲＵのアクティブセットの中にさえないターゲットセル対してサービングセル変更が起きる任意のシナリオにＷＴＲＵが使用することができるリソースの共通セットとすることができる。ネットワークは、ターゲットセルを介してハンドオーバーコマンドを、またはＳＩＢから選択された共通リソースもしくはネットワークによって割り当てられた共通リソースのどちらかを使用してハンドオーバー表示をＷＴＲＵに送る。イベント１Ｄまたはイベント１Ａまたはイベント１Ｃの測定レポートを報告したＷＴＲＵのみがターゲットセルにおいてネットワークによって供給される共通リソースを待ち受けるように設定される。共通リソースが使用されるという事実によって、いくつかのＷＴＲＵは、同じ共通Ｈ−ＲＮＴＩでＨＳ−ＳＣＣＨコードを待ち受けることがある。従って、ＲＲＣメッセージの宛先を識別する必要がある。その識別のために、ＷＴＲＵの地上波無線アクセスネットワーク無線ネットワーク一時識別子（Ｕ−ＲＮＴＩ：ＵＴＲＡＮ  Ｒａｄｉｏ  Ｎｅｔｗｏｒｋ  Ｔｅｍｐｏｒａｒｙ  Ｉｄｅｎｔｉｔｙ）を、ＭＡＣヘッダまたは代替としてＲＲＣハンドオーバーコマンドに加えることができる。あるいは、Ｈ−ＲＮＴＩ、セル無線ネットワーク一時識別子（Ｃ−ＲＮＴＩ：Ｃｅｌｌ  Ｒａｄｉｏ  Ｎｅｔｗｏｒｋ  Ｔｅｍｐｏｒａｒｙ  Ｉｄｅｎｔｉｔｙ）、Ｅ−ＲＮＴＩ等の他のＷＴＲＵ  ＩＤをＭＡＣヘッダに添付することができる。
【００４３】
ターゲットセルを介してハンドオーバーコマンドを受信すると、そのコマンドがＷＴＲＵ用の場合、ＷＴＲＵは、ハンドオーバーメッセージにおいて供給された情報に従ってダウンリンクリソースとアップリンクリソースとを再設定する。この方法によって、非サービングアクティブセットの一部としてセルを有するすべてのＷＴＲＵがリソースを浪費せずにネットワークが共通リソースをＷＴＲＵに割り当てることができるであろう。
【００４４】
図３は、例示的なＷＴＲＵ３００のブロック図である。ＷＴＲＵ３００は、トランシーバ３０２、コントローラ３０４、およびメモリ３０６を含む。ＷＴＲＵ３００は、上記に開示された実施形態に従ってサービングＨＳ−ＤＳＣＨセル変更を実行するように構成される。事前にロードされたＨＳ−ＤＳＣＨ設定情報および／または事前にロードされたＥ−ＤＣＨ設定情報をメモリ３０６に格納することができる。トランシーバ３０２は、事前にロードされたＨＳ−ＤＳＣＨ設定情報に基づいてターゲットセル上のＨＳ−ＳＣＣＨを監視して、そのターゲットセルからのＨＳ−ＳＣＣＨ送信を復号するように構成される。コントローラ３０４は、トランシーバを制御して、上記に開示された任意の実施形態を実施するように構成される。例えば、コントローラ３０４は、ＭＡＣ−ｈｓ／ｅｈｓリセットを実行することを表示する設定パラメータが事前にロードされたＨＳ−ＤＳＣＨ設定情報に含まれてＴＲＵＥにセットされている場合、またはその設定パラメータが事前にロードされたＨＳ−ＤＳＣＨ設定情報に含まれずＴＲＵＥにセットされていないが、ソースセルとターゲットセルとのＴＰＣ組み合わせインデックスが異なる場合に、ターゲットセル上のＨＳ−ＳＣＣＨを首尾よく復号すると、ＨＳ−ＤＳＣＨ送信をターゲットセルから受信する前にＭＡＣ−ｈｓ／ｅｈｓエンティティをリセットするように構成される。
【００４５】
（実施形態）
１．サービングＨＳ−ＤＳＣＨセル変更のための方法。
２．ターゲットセルの信号強度がソースセルの信号強度に近づく時に１番目の測定レポートを送ることを備える実施形態１に記載の方法。
３．事前にロードされたターゲットセルＨＳ−ＤＳＣＨ設定情報を受信することを備える実施形態１乃至２のいずれかに記載の方法。
４．前記事前にロードされたターゲットセルＨＳ−ＤＳＣＨ設定情報をメモリに格納することを備える実施形態３に記載の方法。
５．前記ターゲットセルの信号強度が前記ソースセルの信号強度を上回る時に２番目の測定レポートを送ることを備える実施形態２乃至４のいずれかに記載の方法。
６．前記事前にロードされたターゲットセルＨＳ−ＤＳＣＨ設定情報に基づいて前記ターゲットセル上のＨＳ−ＳＣＣＨを監視することを備える実施形態３乃至５のいずれかに記載の方法。
７．前記ターゲットセルからのＨＳ−ＤＳＣＨサービングセルの変更を表示するＨＳ−ＳＣＣＨ命令を受信することを備える実施形態６に記載の方法。
８．ＭＡＣ−ｈｓ／ｅｈｓリセットが必要かどうかを判断することを備える実施形態７に記載の方法。
９．ＭＡＣ−ｈｓ／ｅｈｓリセットが必要であると判断する場合、ＭＡＣ−ｈｓ／ｅｈｓエンティティをリセットすることを備える実施形態８に記載の方法。
１０．前記事前にロードされたターゲットセルＨＳ−ＤＳＣＨ設定情報は、ＭＡＣ−ｈｓ／ｅｈｓリセットが必要かどうかを表示する設定パラメータを含む実施形態３乃至９のいずれかに記載の方法。
１１．前記設定パラメータがＴＲＵＥにセットされる場合、前記ＭＡＣ−ｈｓ／ｅｈｓエンティティがリセットされる実施形態８乃至１０のいずれかに記載の方法。
１２．前記設定パラメータが前記事前にロードされたターゲットセルＨＳ−ＤＳＣＨ設定情報に含まれない場合、前記ソースセルと前記ターゲットセルとのＴＰＣ組み合わせインデックスを判断することをさらに備える実施形態８乃至１１のいずれかに記載の方法。
１３．前記ＴＰＣ組み合わせインデックスが異なる場合、前記ＭＡＣ−ｈｓ／ｅｈｓエンティティをリセットすることを備える実施形態１２に記載の方法。
１４．前記設定パラメータがＴＲＵＥにセットされない場合、前記ソースセルと前記ターゲットセルとのＴＰＣ組み合わせインデックスを判断することをさらに備える実施形態８乃至１１のいずれかに記載の方法。
１５．前記ＴＰＣ組み合わせインデックスが異なる場合、前記ＭＡＣ−ｈｓ／ｅｈｓエンティティをリセットすることを備える実施形態１４に記載の方法。
１６．前記設定パラメータが前記事前にロードされたターゲットセルＨＳ−ＤＳＣＨ設定情報に含まれない場合、前記ターゲットセルと前記ソースセルとのＥ−ＲＧＣＨ組み合わせインデックスを判断することをさらに備える実施形態８乃至１５のいずれかに記載の方法。
１７．前記Ｅ−ＲＧＣＨ組み合わせインデックスが異なる場合、前記ＭＡＣ−ｈｓ／ｅｈｓエンティティをリセットすることを備える実施形態１６に記載の方法。
１８．前記設定パラメータがＴＲＵＥにセットされない場合、前記ターゲットセルと前記ソースセルとのＥ−ＲＧＣＨ組み合わせインデックスを判断することをさらに備える実施形態８乃至１５のいずれかに記載の方法。
１９．前記Ｅ−ＲＧＣＨ組み合わせインデックスが異なる場合、前記ＭＡＣ−ｈｓ／ｅｈｓエンティティをリセットすることを備える実施形態１８に記載の方法。
２０．前記事前にロードされたターゲットセルＨＳ−ＤＳＣＨ設定情報と共に前記ターゲットセル用の事前にロードされたＥ−ＤＣＨ設定情報を受信することと、前記事前にロードされたＥ−ＤＣＨ設定情報を前記メモリに格納することとをさらに備える実施形態３乃至１９のいずれかに記載の方法。
２１．前記ＨＳ−ＳＣＣＨ命令が前記ターゲットセルにおいて受信される時に、前記事前にロードされたＥ−ＤＣＨ設定情報を使用してＥ−ＤＣＨサービングセル変更を実行することを備える実施形態２０に記載の方法。
２２．前記事前にロードされたＥ−ＤＣＨ設定情報は、Ｅ−ＲＮＴＩ、Ｅ−ＡＧＣＨ情報、参照Ｅ−ＴＦＣＩ、Ｅ−ＨＩＣＨ情報、およびＥ−ＲＧＣＨ情報のうち少なくとも１つを含む実施形態２０乃至２１のいずれかに記載の方法。
２３．サービングＨＳ−ＤＳＣＨセル変更のためのＷＴＲＵ。
２４．事前にロードされたターゲットセルＨＳ−ＤＳＣＨ設定情報を格納するためのメモリを備える実施形態２３に記載のＷＴＲＵ。
２５．前記事前にロードされたターゲットセルＨＳ−ＤＳＣＨ設定情報に基づいて前記ターゲットセル上のＨＳ−ＳＣＣＨを監視し、前記ターゲットセルからのＨＳ−ＳＣＣＨ送信を復号するように構成されたトランシーバを備える実施形態２４に記載のＷＴＲＵ。
２６．ＨＳ−ＤＳＣＨサービングセルの変更を通知するＨＳ−ＳＣＣＨ命令を前記ターゲットセルから受信する時にＭＡＣ−ｈｓ／ｅｈｓリセットが必要かどうかを判断し、ＭＡＣ−ｈｓ／ｅｈｓリセットが必要であると判断する場合にＭＡＣ−ｈｓ／ｅｈｓエンティティをリセットするように構成されたコントローラを備える実施形態２５に記載のＷＴＲＵ。
２７．前記事前にロードされたターゲットセルＨＳ−ＤＳＣＨ設定情報は、ＭＡＣ−ｈｓ／ｅｈｓリセットが必要かどうかを表示する設定パラメータを含む実施形態２４乃至２６のいずれかに記載のＷＴＲＵ。
２８．前記設定パラメータがＴＲＵＥにセットされる場合、前記コントローラは、ＭＡＣ−ｈｓ／ｅｈｓエンティティをリセットするように構成される実施形態２６乃至２７のいずれかに記載のＷＴＲＵ。
２９．前記コントローラは、前記ソースセルと前記ターゲットセルとのＴＰＣ組み合わせインデックスを判断し、前記設定パラメータが前記事前にロードされたターゲットセルＨＳ−ＤＳＣＨ設定情報に含まれなくて、かつ前記ソースセルと前記ターゲットセルとのＴＰＣ組み合わせインデックスが異なる場合、前記ＭＡＣ−ｈｓ／ｅｈｓエンティティをリセットするように構成される実施形態２６乃至２８のいずれかに記載のＷＴＲＵ。
３０．前記コントローラは、前記ソースセルと前記ターゲットセルとのＴＰＣ組み合わせインデックスを判断し、前記設定パラメータがＴＲＵＥにセットされなくて、かつ前記ソースセルと前記ターゲットセルとのＴＰＣ組み合わせインデックスが異なる場合、前記ＭＡＣ−ｈｓ／ｅｈｓエンティティをリセットするように構成される実施形態２６乃至２９のいずれかに記載のＷＴＲＵ。
３１．前記コントローラは、前記ソースセルと前記ターゲットセルとのＥ−ＲＧＣＨ組み合わせインデックスを判断し、前記設定パラメータが前記事前にロードされたターゲットセルＨＳ−ＤＳＣＨ設定情報に含まれなくて、かつ前記ターゲットセルと前記ソースセルとのＥ−ＲＧＣＨ組み合わせインデックスが異なる場合、前記ＭＡＣ−ｈｓ／ｅｈｓエンティティをリセットするように構成される実施形態２６乃至３０のいずれかに記載のＷＴＲＵ。
３２．前記コントローラは、前記ソースセルと前記ターゲットセルとのＥ−ＲＧＣＨ組み合わせインデックスを判断し、前記設定パラメータがＴＲＵＥにセットされなくて、かつ前記ターゲットセルと前記ソースセルとのＥ−ＲＧＣＨ組み合わせインデックスが異なる場合、前記ＭＡＣ−ｈｓ／ｅｈｓエンティティをリセットするように構成される実施形態２６乃至３１のいずれかに記載のＷＴＲＵ。
３３．前記コントローラは、前記ターゲットセルと前記ソースセルとを制御するノードＢがＭＡＣ−ｈｓ／ｅｈｓの保存を対応しない場合、前記ＭＡＣ−ｈｓ／ｅｈｓエンティティをリセットするように構成される実施形態２６乃至３２のいずれかに記載のＷＴＲＵ。
３４．前記コントローラは、前記事前にロードされたターゲットセルＨＳ−ＤＳＣＨ設定情報と共に前記ターゲットセル用の事前にロードされたＥ−ＤＣＨ設定情報を受信し、前記事前にロードされたＥ−ＤＣＨ設定情報を使用してＥ−ＤＣＨサービングセル変更を実行するように構成される実施形態２６乃至３３のいずれかに記載のＷＴＲＵ。
３５．前記コントローラは、ハンドオーバーコマンドにおいて前記ターゲットセル用のＥ−ＤＣＨ設定情報を受信し、前記Ｅ−ＤＣＨ設定情報を使用してサービングＥ−ＤＣＨセル変更を実行するように構成される実施形態２６乃至３４のいずれかに記載のＷＴＲＵ。
３６．サービングＨＳ−ＤＳＣＨセル変更のための方法。
３７．ターゲットセルの信号強度がソースセルの信号強度を上回る時に測定レポートを送ることを備える実施形態３６に記載の方法。
３８．前記ターゲットセル用の共通ＨＳ−ＤＳＣＨリソースを受信することを備える実施形態３６乃至３７のいずれかに記載の方法。
３９．前記共通ＨＳ−ＤＳＣＨリソースを使用して前記ターゲットセル上のＨＳ−ＳＣＣＨを監視すること備える実施形態３８に記載の方法。
４０．ＨＳ−ＤＳＣＨサービングセル変更を表示するＨＳ−ＳＣＣＨ命令を前記ターゲットセルから受信することを備える実施形態３９に記載の方法。
４１．前記ターゲットセル経由でハンドオーバーコマンドメッセージを受信することを備える実施形態３８乃至４０のいずれかに記載の方法。
４２．前記ハンドオーバーコマンドメッセージは、前記ハンドオーバーコマンドメッセージの受信者の識別子を含む実施形態４１に記載の方法。
４３．サービングＨＳ−ＤＳＣＨセル変更を実行するように構成されるＷＴＲＵ。
４４．トランシーバは、前記ターゲットセル用の共通ＨＳ−ＤＳＣＨリソースを使用してターゲットセル上のＨＳ−ＳＣＣＨを監視するおよび前記ターゲットセル経由でＨＳ−ＤＳＣＨサービングセル変更を表示するＨＳ−ＳＣＣＨ命令を受信するように構成されることを備える実施形態４３に記載のＷＴＲＵ。
４５．前記ターゲットセル経由でハンドオーバーコマンドメッセージを受信するように構成されるコントローラを備える実施形態４４に記載のＷＴＲＵ。
４６．前記コントローラは、前記ハンドオーバーコマンドメッセージに含まれる識別子に基づいて前記ハンドオーバーコマンドメッセージを受信するように構成される実施形態４５に記載のＷＴＲＵ。
【００４６】
発明の特徴および要素は、特定の組み合わせにおいて上記で説明されるが、それぞれの特徴または要素を、他の特徴および要素を用いずに単独でまたは他の特徴および要素の有無にかかわらずさまざまな組み合わせにおいて使用することができる。本明細書で提供される方法またはフロー図を、コンピュータプログラム、ソフトウェア、または汎用のコンピュータまたはプロセッサが実行するためのコンピュータ可読記憶媒体に組み込まれるファームウェアで実施することができる。コンピュータ可読記憶媒体の例は、読取専用メモリ（ＲＯＭ）、ランダムアクセルメモリ（ＲＡＭ）、レジスタ、キャッシュメモリ、半導体メモリデバイス、内部ハードディスクおよびリムーバブルディスク等の磁気媒体、ＣＤ−ＲＯＭディスク等の磁気光媒体、デジタル多用途ディスク（ＤＶＤ）等の光媒体を含む。
【００４７】
適切なプロセッサは、例を挙げると、汎用プロセッサ、専用プロセッサ、標準プロセッサ、デジタル信号プロセッサ（ＤＳＰ）、複数のマイクロプロセッサ、ＤＳＰコアと連動する１または複数のマイクロプロセッサ、コントローラ、マイクロコントローラ、特定用途向け集積回路（ＡＳＩＣ）、ＦＰＧＡ（Ｆｉｅｌｄ  Ｐｒｏｇｒａｍｍａｂｌｅ  Ｇａｔｅ  Ａｒｒａｙ）回路、その他の種類のＩＣ（Ｉｎｔｅｇｒａｔｅｄ  Ｃｉｒｃｕｉｔ）、および／または状態機械を含む。
【００４８】
ソフトウェアと連携するプロセッサは、無線送受信ユニット（ＷＴＲＵ：Ｗｉｒｅｌｅｓｓ  Ｔｒａｎｓｍｉｔ  Ｒｅｃｅｉｖｅ  Ｕｎｉｔ）、ユーザ機器（ＵＥ）、端末機、基地局、無線ネットワークコントローラ（ＲＮＣ：Ｒｅｄｉｏ  Ｎｅｔｗｏｒｋ  Ｃｏｎｔｒｏｌｌｅｒ）、または任意のホストコンピュータに使用するための無線周波数トランシーバを実施するために使用することができる。ＷＴＲＵは、カメラ、ビデオカメラモジュール、ビデオフォン、スピーカフォン、振動デバイス、スピーカ、マイクロフォン、テレビ受信機、ハンズフリーヘッドセット、キーボード、Ｂｌｕｅｔｏｏｔｈ（登録商標）、ＦＭ（Ｆｒｅｑｕｅｎｃｙ  Ｍｏｄｕｌａｔｅｄ）無線ユニット、ＬＣＤ（Ｌｉｑｕｉｄ  Ｃｒｙｓｔａｌ  Ｄｉｓｐｌａｙ）ディスプレイユニット、ＯＬＥＤ（Ｏｒｇａｎｉｃ  Ｌｉｇｈｔ−ｅｍｉｔｔｉｎｇ  Ｄｉｏｄｅ）ディスプレイユニット、デジタル音楽プレーヤ、メディアプレーヤ、ビデオゲームプレーヤモジュール、インターネットブラウザ、および／またはＷＬＡＮ（Ｗｉｒｅｌｅｓｓ  Ｌｏｃａｌ  Ａｒｅａ  Ｎｅｔｗｏｒｋ）もしくはＵＷＢ（Ｕｌｔｒａ  Ｗｉｄｅ  Ｂａｎｄ）モジュール等のハードウェアおよび／またはソフトウェアで実施されるモジュールと併せて使用することができる。
【図１】
0005386618.tif 000002
【図２】
0005386618.tif 000003
【図３】
0005386618.tif 000004